(57)【要約】【課題】非接触型の操作装置でありながら、ユーザにとって、確かに操作を行ったことや、指等のどの部分が検知空間にあるかを、容易に認識することができる操作装置を提供する。【解決手段】指などの物体による電子機器の操作を受付けるための操作装置において、前記物体が進入自在となっている検知空間を設定し、該検知空間における前記物体の存否を検知する物体検知部と、前記物体検知部による検知の結果に応じて、前記電子機器の動作を決める操作信号を生成する、操作信号生成部と、前記検知空間における前記物体の存在が検出されたときに、前記検知空間に向けて可視光線を照射する光照射部と、を備えた操作装置とする。【選択図】図７
2011076536.tif 000002
【特許請求の範囲】
【請求項１】
指などの物体による電子機器の操作を受付ける操作装置において、
前記物体が進入自在となっている検知空間を設定し、該検知空間における前記物体の存否を検知する物体検知部と、
前記物体検知部による検知の結果に応じて、前記電子機器の動作内容を決める操作信号を生成する、操作信号生成部と、
前記検知空間における前記物体の存在が検知されたときに、前記検知空間に向けて可視光線を照射する光照射部と、
を備えたことを特徴とする操作装置。
【請求項２】
前記物体検知部は、前記検知空間における前記物体の位置をも検知し、
前記操作信号生成部は、当該位置の検知結果に応じて、異なる前記動作内容の操作信号を生成することを特徴とする請求項１に記載の操作装置。
【請求項３】
前記物体検知部は、
前記物体の接近に伴う静電容量の変化量を検知することによって、前記検知空間における前記物体の存否および位置を検知するものであり、
前記検知空間は、
前記物体が存在しているときに、前記変化量の検知結果が所定の基準量以上となる空間として、設定されていることを特徴とする請求項２に記載の操作装置。
【請求項４】
前記光照射部が照射する可視光線は、
前記検知空間における前記物体の位置に応じて、異なる強度に設定されることを特徴とする請求項３に記載の操作装置。
【請求項５】
前記光照射部は、
前記検知空間の外側に設置された光照射装置から、前記検知空間に向けて前記可視光線を照射するものであり、
前記可視光線の照射範囲は、
前記光照射装置から見た場合の、該照射範囲の投影図と前記検知空間の投影図とが、略一致するように設定されていることを特徴とする請求項３または請求項４に記載の操作装置。
【請求項６】
請求項１から請求項５の何れかに記載の操作装置を備え、前記操作信号に応じて動作することを特徴とする電子機器。
【発明の詳細な説明】
【技術分野】
【０００１】
本発明は、電子機器の操作を受付けるための操作装置、およびこれを備えた電子機器に関する。
【背景技術】
【０００２】
従来、電子機器の操作性等をより向上させるため、非接触型の操作装置が種々提案されている。このような操作装置の一例としては、静電容量の変化量を検知するセンサが備えられており、ユーザの指等がどの程度接近したかを検出するものがある。当該操作装置は、この検出結果に応じて、電子機器の動作を決める操作信号を生成することになる。
【０００３】
一方、当該操作装置を使うユーザから見れば、電子機器をどのように動作させたいかを決め、この動作に係る操作信号が生成されるように、当該操作装置に指等を近づける。これによりユーザは、当該操作装置を操作して、電子機器の動作に自分の意図を反映させることが可能である。
【先行技術文献】
【特許文献】
【０００４】
【特許文献１】特開２００１−２３８１４６号公報
【特許文献２】特開平７−２８８８７５号公報
【発明の概要】
【発明が解決しようとする課題】
【０００５】
上述したような非接触型の操作装置を用いれば、ユーザは、当該操作装置に触れなくても、電子機器を操作することが可能である。しかしユーザは、接触型の操作装置を用いるときは、触感（例えば、押しボタンスイッチを押した感覚や、タッチパネルに触れた感覚）によって、確かに操作を行ったということを認識し易いが、非接触型の操作装置を用いるときは、基本的に触感がないため、このように認識することが難しい場合がある。
【０００６】
この点、ユーザにとっては、確かに操作を行ったということが認識できないと、電子機器を思い通りに利用することができず、不便を感じることになる。そのため、何らかの手法により、このような認識が可能となっていることが望まれる。
【０００７】
またユーザは、非接触型の操作装置を例えば指で操作するにあたり、当該操作装置における検知空間（指の存否などが検知される空間）に指を進入させることになる。このとき、その指のどの部分までが検知空間に進入しているかが判らなければ、ユーザにとって、電子機器を精度良くかつ直感的に操作することが難しくなる。
【０００８】
本発明は上述した問題に鑑み、非接触型の操作装置でありながら、ユーザにとって、確かに操作を行ったことや、指等のどの部分が検知空間にあるかを、容易に認識することができる操作装置の提供を目的とする。また本発明は、このような操作装置を備えた電子機器の提供をも目的とする。
【課題を解決するための手段】
【０００９】
上記目的を達成するため、本発明に係る操作装置は、指などの物体による電子機器の操作を受付ける操作装置において、前記物体が進入自在となっている検知空間を設定し、該検知空間における前記物体の存否を検知する物体検知部と、前記物体検知部による検知の結果に応じて、前記電子機器の動作内容を決める操作信号を生成する、操作信号生成部と、前記検知空間における前記物体の存在が検知されたときに、前記検知空間に向けて可視光線を照射する光照射部と、を備えた構成とする。
【００１０】
本構成によれば、検知空間に指などを進入させたときに、検知空間に向けて可視光線が照射され、ひいては、指などの検知空間に進入した部分に可視光線が照射される。そのため、非接触型の操作装置でありながら、ユーザにとって、確かに操作を行ったことや、指等のどの部分が検知空間にあるかを、容易に認識することが可能となる。
【００１１】
また上記構成において、前記物体検知部は、前記検知空間における前記物体の位置をも検知し、前記操作信号生成部は、当該位置の検知結果に応じて、異なる前記動作内容の操作信号を生成する構成とする。本構成によれば、複数の操作パターンを有する操作装置とすることができる。
【００１２】
また上記構成としてより具体的には、前記物体検知部は、前記物体の接近に伴う静電容量の変化量を検知することによって、前記検知空間における前記物体の存否および位置を検知するものであり、前記検知空間は、前記物体が存在しているときに、前記変化量の検知結果が所定の基準量以上となる空間として、設定されている構成としてもよい。
【００１３】
また上記構成において、前記光照射部が照射する可視光線は、前記検知空間における前記物体の位置に応じて、異なる強度に設定される構成としてもよい。本構成によれば、ユーザは、光の強度を視覚的に判別し、どのような操作信号が生成されるかを認識することが可能となる。
【００１４】
また上記構成において、前記光照射部は、前記検知空間の外側に設置された光照射装置から、前記検知空間に向けて前記可視光線を照射するものであり、前記可視光線の照射範囲は、該光照射装置から見た場合の、該照射範囲の投影図と前記検知空間の投影図とが、略一致するように設定されている構成としてもよい。
【００１５】
本構成によれば、検知空間に指等が進入したときに、光に照らされる部分と、検知空間に進入した部分とを、できるだけ精度良く一致させることが可能となる。その結果、ユーザは、指等のどの部分までが検知空間に進入したのかを、精度良く認識することが可能となる。
【００１６】
また本発明に係る電子機器は、上記構成の操作装置を備え、前記操作信号に応じて動作する構成とする。本構成によれば、上記構成の操作装置に係る利点を享受した電子機器が実現される。
【発明の効果】
【００１７】
上述した通り、本発明に係る操作装置によれば、検知空間に指などを進入させたときに、検知空間に向けて可視光線が照射され、ひいては、指などの検知空間に進入した部分に可視光線が照射される。そのため、非接触型の操作装置でありながら、ユーザにとって、確かに操作を行ったことや、指などのどの部分が検知空間にあるかを、容易に認識することが可能となる。
【図面の簡単な説明】
【００１８】
【図１】本発明の実施形態に係るテレビ放送受像機の構成図である。
【図２】当該テレビ放送受像機に設けられた、容量検知型操作装置の構成図である。
【図３】静電容量の変化量と生成される操作信号との関係を示す説明図である。
【図４】当該テレビ放送受像機の外観図である。
【図５】当該テレビ放送受像機の、別の方向から見た外観図である。
【図６】容量検知型操作装置の動作に関する説明図である。
【図７】容量検知型操作装置の動作に関する説明図である。
【図８】容量検知型操作装置の動作に関する説明図である。
【図９】光照射装置における光の照射範囲の設定に関する説明図である。
【図１０】光照射装置における光の照射範囲の設定に関する説明図である。
【発明を実施するための形態】
【００１９】
本発明の実施形態について、電子機器の一種であるテレビ放送受像機を例に挙げて、以下に説明する。
【００２０】
図１は、当該テレビ放送受像機の構成図である。本図に示すように当該テレビ放送受像機１は、放送信号受信部１１、放送信号処理部１２、ディスプレイ１３、スピーカ１４、制御部１５、および操作部１６などを備えている。
【００２１】
放送信号受信部１１は、例えばアンテナに接続されており、テレビ放送の放送信号の入力を受付ける。当該放送信号には、テレビ番組の画像や音声の情報が含まれている。また放送信号受信部１１はチューナを有しており、放送信号に対して選局処理を施し、選局されたチャンネルの信号を後段側に送出する。何れのチャンネルが選局されるかは、制御部１５の指示によって決められる。
【００２２】
放送信号処理部１２は、放送信号受信部１１から受取った放送信号に対して、所定の処理（復調や復号を行う処理、画像や音声を調整する処理など）を施す。これにより放送信号処理部１２は、テレビ番組の画像の情報を含んだ画像信号、およびテレビ番組の音声の情報を含んだ音声信号を生成する。生成された画像信号はディスプレイ１３に送出され、音声信号はスピーカ１４に送出される。
【００２３】
ディスプレイ１３は、例えばＰＤＰ［Plasma Display Panel］によって形成されており、放送信号処理部１２から受取った画像信号に基づいて、画像を表示する。またスピーカ１４は、放送信号処理部１２から受取った音声信号に基づいて、音声を出力する。
【００２４】
制御部１５は、例えばＣＰＵによって形成されており、テレビ放送受像機１が正常に動作するように、テレビ放送受像機１内の各部を制御する。例えば制御部１５は、操作部１６を通じたユーザの指示に応じた、電源のＯＮ／ＯＦＦの切替、選局するチャンネルの変更、画質の調整、音量の調整などが実現されるように、各部を制御する。
【００２５】
操作部１６は、押しボタンスイッチやリモートコントロール装置などを有しており、ユーザによって操作されるようになっている。そしてこの操作内容を表す操作信号は、制御部１５に伝送されるようになっている。これにより制御部１５は、テレビ放送受像機１の各種動作に、ユーザの意図を反映させることが可能となっている。
【００２６】
また操作部１６は、静電容量の変化量を検知する機能を有した、容量検知型操作装置１７を備えている。ここで容量検知型操作装置１７の構成について、図２を参照しながら、以下に説明する。
【００２７】
図２に示すように、容量検知型操作装置１７は、パッド装置２１、容量検知部２２、操作信号生成部２３、照射強度調整部２４、および光照射装置２５などを備えている。
【００２８】
パッド装置２１は、電極２１ａの表面がカバー２１ｂで覆われた構造となっている。ユーザの指がカバー２１ｂに接触あるいは接近した結果、電極２１ａに接近すると、パッド装置２１における静電容量が変化する。なお当該静電容量の変化量は、指が電極２１ａに近づくほど、より大きくなる。
【００２９】
容量検知部２２は、パッド装置２１における静電容量の変化量を、継続的に検知する。当該検知によって得られた情報は、操作信号生成部２３および照射強度調整部２４に伝送される。
【００３０】
操作信号生成部２３は、容量検知部２２の検知結果（静電容量の変化量）に応じて、テレビ放送受像機１の動作内容を決める操作信号を生成する。より具体的には図３に示すように、当該変化量が所定の基準値α０に満たない場合は、操作信号は生成されない。そして、当該変化量がα０以上であって、所定の値α１未満である場合は、操作信号Ａが生成される。また当該変化量がα１以上であって、所定の値α２未満である場合は、操作信号Ｂが生成される。また当該変化量がα２以上である場合は、操作信号Ｃが生成される。
【００３１】
つまり、静電容量の変化量がα０以上でα１未満となることが、操作信号Ａの生成条件であり、同じくα１以上でα２未満となることが、操作信号Ｂの生成条件であり、同じくα２以上となることが、操作信号Ｃの生成条件であるといえる。なお各値（α０〜α２）の情報としては、何らかの妥当な値が、容量検知型操作装置１７に予め登録されている。
【００３２】
操作信号Ａ〜Ｃの各々は、テレビ放送受像機１にそれぞれ異なる動作をさせる信号（異なる動作内容の操作信号）となっている。より具体的には、操作信号Ａは、ディスプレイ１３に表示される画像の明るさを所定の「低レベル」に設定させる信号であり、操作信号Ｂは、当該画像の明るさを低レベルより明るい「通常レベル」に設定させる信号であり、操作信号Ｃは、当該画像の明るさを中レベルより明るい「高レベル」に設定させる信号となっている。各レベル（低レベル〜高レベル）の情報は、容量検知型操作装置１７に予め登録されている。なおここで示した操作信号の内容は一例であり、これに限定されるものではない。
【００３３】
これによりユーザは、パッド装置２１に指を近づけることによって、ディスプレイ１３に表示される画像の明るさを調整させることが可能である。更にユーザは、当該画像をより明るくさせたい程、指をより近づけることによって、希望通りの調整を実現させることができる。このように容量検知型操作装置１７は、テレビ放送受像機１の直感的な操作を可能とする。
【００３４】
また照射強度調整部２４は、容量検知部２２の検知結果（静電容量の変化量）に応じて、光照射装置２５が照射する光の強度を調整する。より具体的には、当該変化量が先述した値α０に満たない場合（操作信号生成部２３によって操作信号が生成されない場合）は、光が照射されないようにする。そして、当該変化量がα０以上であって先述した値α１未満である場合（操作信号生成部２３によって操作信号Ａが生成される場合）は、当該光の強度を所定の「弱レベル」とする。また当該変化量がα１以上であって先述した値α２未満である場合（操作信号生成部２３によって操作信号Ｂが生成される場合）は、当該光の強度を、弱レベルより強い「中レベル」とする。また当該変化量がα２以上である場合（操作信号生成部２３によって操作信号Ｃが生成される場合）は、当該光の強度を、中レベルより強い「強レベル」とする。
【００３５】
なお各レベル（弱レベル〜強レベル）の情報は、容量検知型操作装置１７に予め登録されている。また照射強度調整部２４は、ＰＷＭ［Pulse Width Modulation］信号（設定しようとする光の強度に応じて、デューティ比が決められる）を生成して光照射装置２５に送出することにより、光照射装置２５が照射する光の強度を調整するようになっていても良い。
【００３６】
光照射装置２５は、例えばＬＥＤ［Light Emitting Diode］によって形成されており、照射強度調整部２４によって調整された強度にて、可視光線（以下、単に「光」と称することがある）を照射する。照射強度調整部２４から先述したＰＷＭ信号が送出される場合は、ＰＷＭ信号のオンデューティに応じて、光が照射される。また光照射装置２５による光の照射方向は、容量検知型操作装置１７を操作している指が照らされるように設定されている。この点については、改めて詳細に説明する。
【００３７】
また図４および図５に、テレビ放送受像機１の外観図を示す。なお図４は、テレビ放送受像機１を正面のやや斜め上方向から見たものであり、図５は、横方向から（図４の概ね左側から）見たものである。このようにテレビ放送受像機１は、ディスプレイ１３などが配置されている筐体２が、支持部材３によって、下方から支えられるような形態となっている。またパッド装置２１は、支持部材３の上側に配置されており、光照射装置２５は、筐体２の下側に配置されている。
【００３８】
次に、容量検知型操作装置１７の動作について、図６から図８の各図を参照しながら説明する。なお何れの図も、パッド装置２１や光照射装置２５を、横方向（図５の場合と同様）から見た状態を表している。
【００３９】
先述した通り、容量検知部２２は、ユーザの指がパッド装置２１に近づくことによる、静電容量の変化量を検知するようになっている。このことは換言すれば、指（特に電極２１ａに最も近くなる、指の先端部分）の存否や位置が検知される検知空間が、パッド装置２１の周辺に設定されていると見ることができる。
【００４０】
より具体的には、静電容量の変化量がα０となるとき、静電容量の変化量がα１となるとき、および静電容量の変化量がα２となるときにおける、指の位置の軌跡（曲面）が、それぞれ図６に示すように、第１境界３１ａ、第２境界３１ｂ、および第３境界３１ｃと設定されている。
【００４１】
そして第１境界３１ａの内側の空間（指が存在しているときに、静電容量の変化量がα０以上となる空間）が、先述した検知空間ということになる。検知空間は、パッド装置２１から外側に向けて開放されており、ユーザの指が進入自在となっている。また光照射装置２５は検知空間の外側に設置されており、光の照射方向は、検知空間の外側から検知空間の内側に向いたものとなっている。
【００４２】
そして指が検知空間に進入すると、容量検知部２２によって、静電容量の変化量がα０以上となったこと（検知空間に指が存在すること）が検知される。このとき、光照射装置２５は、検知空間に向けて光を照射する。このように光が照射されるため、ユーザは、検知空間に指が進入した状態であることを、明確に認識することが可能となっている。
【００４３】
そして更に、検知空間に向けて光が照射されることにより、指における主に検知空間に進入している部分が、光に照らされる。そのためユーザは、指のどこまでの部分が検知空間に進入しているかを、認識することが可能となっている。
【００４４】
なお図７に示すように、指が第１境界３１ａと第２境界３１ｂの間に進入した場合は、静電容量の変化量はα０以上かつα１未満となり、このことが容量検知部２２によって検知される。換言すれば、指の位置が、第１境界３１ａと第２境界３１ｂの間であることが検知される。
【００４５】
この場合、操作信号Ａの生成条件が満たされるため、操作信号生成部２３によって操作信号Ａが生成されることになる。そしてこのとき、光照射装置２５が検知空間に向けて照射する光の強度は、照射強度調整部２４によって「弱レベル」に調整される。そのためユーザは、検知空間の中でも、操作信号Ａが生成される領域に指が進入したことを、認識することが可能である。
【００４６】
また図８に示すように、指が第２境界３１ｂと第３境界３１ｃの間に進入した場合は、静電容量の変化量はα１以上かつα２未満となり、このことが容量検知部２２によって検知される。換言すれば、指の位置が、第２境界３１ｂと第３境界３１ｃの間であることが検知される。
【００４７】
この場合、操作信号Ｂの生成条件が満たされるため、操作信号生成部２３によって操作信号Ｂが生成されることになる。そしてこのとき、光照射装置２５が検知空間に向けて照射する光の強度は、照射強度調整部２４によって「中レベル」に調整される。そのためユーザは、検知空間の中でも、操作信号Ｂが生成される領域に指が進入したことを、認識することが可能である。
【００４８】
また指が第３境界３１ｃより内側に進入した場合、静電容量の変化量はα２以上となり、このことが容量検知部２２によって検知される。換言すれば、指の位置が、第３境界３１ｃより内側であることが検知される。
【００４９】
この場合、操作信号Ｃの生成条件が満たされるため、操作信号生成部２３によって操作信号Ｃが生成される。そしてこのとき、光照射装置２５が検知空間に向けて照射する光の強度は、照射強度調整部２４によって「強レベル」に調整される。そのためユーザは、検知空間の中でも、操作信号Ｃが生成される領域に指が進入したことを、認識することが可能である。
【００５０】
容量検知型操作装置１７では上述した動作がなされるため、ユーザは、どの操作信号を生成させたいか（つまり、テレビ放送受像機１をどのように動作させたいか）に応じて、検知空間のどの位置まで指を進入させるかを決め、所望の操作信号を生成させることができる。また光照射装置２５が照射する光は、検知空間における指の位置に応じて、異なる強度に設定される。そのためユーザは、照射される光の強度を視覚的に判別し、どの操作信号が生成されるか（つまり、検知空間の中でも、どの操作信号が生成される領域に指が進入したか）を、認識することが可能となっている。
【００５１】
なお各操作信号（操作信号Ａ〜Ｃ）は、その操作信号の生成条件が一定時間（例えば１秒程度）続けて満たされている場合に限り、生成されるようにしても構わない。これにより、例えばユーザが、操作信号Ｂを生成させようとしているにも関わらず、そのときに（第２境界３１ｂの内側にまで指を進入させる途中に）、操作信号Ａの生成条件が一時的に満たされてしまい、操作信号Ａが意図せずに生成されるといった事態が回避される。
【００５２】
また指が検知空間に進入した後、検知空間の外に戻った場合（ユーザが指を引っ込めた場合）には、静電容量の変化量もα１未満に戻ることになる。これにより、光照射装置２５からは光が照射されないようになり、ユーザは、指が検知空間の外に出たことを認識することができる。
【００５３】
次に、光照射装置２５が光を照射する範囲（以下、適宜「照射範囲」と略記する）を設定するための工程について、図９および図１０を参照しながら説明する。なお図９は、パッド装置２１や光照射装置２５を、横方向（図５の場合と同様）から見た状態を表し、図１０は、正面方向から見た状態を表している。
【００５４】
まず照射範囲の設定にあたっては、指のサンプルがパッド装置２１に近づくことによる、第１境界３１ａ（つまり、検知空間の外縁）が特定される。なお指のサンプルとしては、ユーザの個人差などを考慮して、できるだけ平均的な特性のものが選ばれることが望ましい。また第１境界３１ａの特定手法としては、実験によるものであっても良く、計算やシミュレーション等によるものであっても良い。
【００５５】
また容量検知型操作装置１７が、主に指以外の物体により操作されるものである場合は、指のサンプルの代わりに、その物体のサンプルが使われることになる。このようにして、例えば図９および図１０に示すように、第１境界３１ａが特定されることになる。
【００５６】
第１境界３１ａが特定されたら、この第１境界３１ａを基準として、照射範囲が設定される。つまり当該照射範囲が実現されるように、光照射装置２５の仕様や設置される位置、および光の照射方向などが決定される。より具体的には、図９および図１０に示すように、光照射装置２５から見た場合の照射範囲の投影図と検知空間の投影図（光照射装置２５の位置あるいはその後方の点を基準とした、点投影の図）が、略一致するように照射範囲が設定される。なお図９および図１０の一点鎖線３３は、照射範囲の外縁を表している。
【００５７】
このように設定されると、照射範囲には検知空間のほぼ全ての領域が含まれるとともに、照射範囲から、検知空間以外の空間が極力除外されることになる。そのため、検知空間に指が進入したときに、光に照らされる部分と、検知空間に進入した部分とを、できるだけ精度良く一致させることが可能となる。その結果、ユーザは、指のどの部分までが検知空間に進入したのかを、精度良く認識することが可能となる。
【００５８】
なお、指の光が照らされる部分と検知空間に進入した部分とを、できるだけ精度良く一致させるには、通常、上述した通りに照射範囲が設定されることが望ましいが、場合によっては（例えば、指の特性のバラツキ（ユーザの個人差）や、検知誤差などを考慮する場合）、これよりも大きめ或いは小さめに、照射範囲が設定されるようにしても構わない。
【００５９】
この場合、検知空間に進入した部分に光が照射されないという事態を、より確実に回避させたいときは、照射範囲が大きめに設定されるようにすれば良い。また逆に、検知空間に進入していない部分に光が照射されてしまうという事態を、より確実に回避させたいときは、照射範囲が小さめに設定されるようにすれば良い。
【００６０】
なお本実施形態では、容量検知型操作装置１７は人の指によって操作されるものとしたが、これに限られるものではなく、その他の物体（例えば、人体の他の部分や、何らかの器具など）によって操作されるようにしても良い。また本実施形態では、静電容量の変化量を検知する手法によって、非接触の操作を可能としているが、その他の種々の手法（例えば、指などから出る赤外線の状態を検知する手法）が用いられるようにしても構わない。
【００６１】
また本実施形態では、検知空間における指の存否だけでなく、検知空間における指の位置も検出され、この検出結果も、操作信号の生成処理に反映されるようになっている。この点、容量検知型操作装置１７において、複数パターンの操作（複数種の操作信号の生成）が不必要である場合には、指の位置までは検出されず、検知空間における指の存否の検出結果だけに基づいて、操作信号が生成されるようになっていても構わない。
【００６２】
以上に説明した通り、本実施形態に係る容量検知型操作装置１７（操作装置）は、指（物体の一例）によるテレビ放送受像機１（電子機器）の操作を受付けるものであって、指が進入自在となっている検知空間を設定し、検知空間における指の存否を検知する機能部（物体検知部）と、物体検知部による検知の結果に応じて、テレビ放送受像機１の動作内容を決める操作信号を生成する機能部（操作信号生成部）と、検知空間における指の存在が検知されたときに、検知空間に向けて可視光線を照射する機能部（光照射部）と、を備えている。
【００６３】
その結果、容量検知型操作装置１７によれば、検知空間に指を進入させたときに、検知空間に向けて可視光線が照射され、ひいては、検知空間に進入した指の部分に可視光線が照射される。そのため、非接触型の操作装置でありながら、ユーザにとって、確かに操作を行ったことや、指などのどの部分が検知空間にあるかを、容易に認識することが可能となっている。
【００６４】
以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００６５】
本発明は、テレビ放送受像機などの電子機器に利用することができる。
【符号の説明】
【００６６】
１    テレビ放送受像機（電子機器）
２    筐体
３    支持部材
１１    放送信号受信部
１２    放送信号処理部
１３    ディスプレイ
１４    スピーカ
１５    制御部
１６    操作部
１７    容量検知型操作装置（操作装置）
２１    パッド装置
２１ａ  カバー
２１ｂ  電極
２２    容量検知部
２３    操作信号生成部
２４    照射強度調整部
２５    光照射装置
３１ａ  第１境界（検知空間の外縁）
３１ｂ  第２境界
３１ｃ  第３境界
【図１】
2011076536.tif 000003
【図２】
2011076536.tif 000004
【図３】
2011076536.tif 000005
【図４】
2011076536.tif 000006
【図５】
2011076536.tif 000007
【図６】
2011076536.tif 000008
【図７】
2011076536.tif 000009
【図８】
2011076536.tif 000010
【図９】
2011076536.tif 000011
【図１０】
2011076536.tif 000012